(57)【要約】【目的】逆順のスライド・ショーを行った場合の違和感をなくす。【構成】静止画ファイルと動画ファイルとが混在しているメモリ・カードからファイルを読み取り，撮影時刻の新しい順から再生する逆順のスライド・ショーを行う場合において，動画ファイルによって表される動画を構成する各駒の画像の順序を撮影時刻とは逆の順序（ＭＬ，Ｍ２１，Ｍ１１，Ｍ０１）にする（逆再生）。逆順スライド・ショーにより，撮影時刻とは逆の順に画像が表示される場合であっても，動画も撮影時刻とは逆の順序で再生されるので，逆再生スライド・ショーを閲覧しているユーザは違和感を生じない。【選択図】  図６
2005012399.tif 000002
【特許請求の範囲】
【請求項１】
記録媒体から，撮影日時データが含まれている１または複数の静止画ファイルおよび撮影日時データが含まれている複数の動画ファイルを読み取る読取手段，
上記読取手段によって記録媒体から読み取られた１または複数の静止画ファイルによって表される静止画像および１または複数の動画ファイルによって表される動画を，撮影日時データによって表される撮影日時の遅い順にソーティングするソーティング手段，ならびに
上記ソーティング手段によってソーティングされた順序にもとづいて，上記静止画像および上記動画について撮影日時の遅い順にスライド・ショーを行ない，かつ上記動画を逆再生するスライド・ショーを行なうように表示装置を制御する表示制御手段，
を備えた画像再生装置。
【請求項２】
上記動画ファイルが差分圧縮方式にもとづいて圧縮されているときに，動画を構成する各駒の画像を生成する生成手段をさらに備え，
上記表示制御手段は，上記ソーティング手段によってソーティングされた順序にもとづいて，上記生成手段によって生成された各駒の画像から構成される上記動画を逆再生するスライド・ショーを行なうように表示装置を制御するものである，
請求項１に記載の画像再生装置。
【請求項３】
記録媒体から，撮影日時データが含まれている１または複数の静止画ファイルおよび撮影日時データが含まれている複数の動画ファイルを読み取る読取手段，
上記読取手段によって記録媒体から読み取られた１または複数の静止画ファイルによって表される静止画像および１または複数の動画ファイルによって表される動画を，撮影日時データによって表される撮影日時の遅い順にソーティングするソーティング手段，ならびに
上記ソーティング手段によってソーティングされた順序にもとづいて，上記静止画像および上記動画を構成する各駒の画像のうち最後の駒の画像を一覧表示するように表示装置を制御する表示制御手段，
を備えた画像再生装置。
【請求項４】
上記表示制御手段は，
上記動画ファイルが差分圧縮方式にもとづいて圧縮されているときには，最後の完全画像と上記静止画像とを一覧表示するように上記表示装置を制御するものである，
請求項３に記載の画像再生装置。
【請求項５】
上記静止画像および上記最後の駒の画像のそれぞれのサムネイル画像を生成するサムネイル画像生成手段をさらに備え，
上記表示制御手段は，
上記サムネイル画像生成手段によって生成されたサムネイル画像を表示するように上記表示装置を制御するものである，
請求項３に記載の画像再生装置。
【請求項６】
記録媒体から，撮影日時データが含まれている１または複数の静止画ファイルおよび撮影日時データが含まれている複数の動画ファイルを読み取り，
記録媒体から読み取られた１または複数の静止画ファイルによって表される静止画像および１または複数の動画ファイルによって表される動画を，撮影日時データによって表される撮影日時の遅い順にソーティングし，
ソーティングされた順序にもとづいて，上記静止画像および上記動画について撮影時刻の遅い順にスライド・ショーを行ない，かつ上記動画を逆再生するスライド・ショーを行なうように表示装置を制御する，
画像再生方法。
【請求項７】
記録媒体から，撮影日時データが含まれている１または複数の静止画ファイルおよび撮影日時データが含まれている複数の動画ファイルを読み取り，
記録媒体から読み取られた１または複数の静止画ファイルによって表される静止画像および１または複数の動画ファイルによって表される動画を，撮影日時データによって表される撮影日時の遅い順にソーティングし，
ソーティングされた順序にもとづいて，上記静止画像および上記動画を構成する各駒の画像のうち最後の駒の画像を一覧表示する，
画像再生方法。
【請求項８】
画像再生装置のコンピュータを制御するプログラムであって，
記録媒体から，撮影日時データが含まれている１または複数の静止画ファイルおよび撮影日時データが含まれている複数の動画ファイルを読み取らせ，
記録媒体から読み取られた１または複数の静止画ファイルによって表される静止画像および１または複数の動画ファイルによって表される動画を，撮影日時データによって表される撮影日時の遅い順にソーティングさせ，
ソーティングされた順序にもとづいて，上記静止画像および上記動画について撮影時刻の遅い順にスライド・ショーを行ない，かつ上記動画を逆再生するスライド・ショーを行なうように画像再生装置のコンピュータを制御するプログラム。
【請求項９】
画像再生装置のコンピュータを制御するプログラムであって，
記録媒体から，撮影日時データが含まれている１または複数の静止画ファイルおよび撮影日時データが含まれている複数の動画ファイルを読み取らせ，
記録媒体から読み取られた１または複数の静止画ファイルによって表される静止画像および１または複数の動画ファイルによって表される動画を，撮影日時データによって表される撮影時刻の遅い順にソーティングさせ，
ソーティングされた順序にもとづいて，上記静止画像および上記動画を構成する各駒の画像のうち最後の駒の画像一覧を表示させるように画像再生装置のコンピュータを制御するプログラム。
【請求項１０】
請求項８または９に記載のプログラムを格納した記録媒体。
【発明の詳細な説明】
【０００１】
【技術分野】
この発明は，画像再生装置およびその方法ならびに画像再生装置のコンピュータを制御プログラムに関する。
【０００２】
【発明の背景】
パーソナル・コンピュータなどにおいてスライド・ショーが設定されると，複数駒の画像が順々に表示される。スライド・ショーにおいては，撮影した時刻順に表示されるのが一般的である。静止画ファイルと動画ファイルとが混在している場合であっても，撮影時刻順に静止画と動画とが表示される。
【０００３】
スライド・ショーにおいては，撮影日時の逆順に表示する場合もある。この様な場合には，静止画については撮影日時の逆順に表示されるが，動画については逆再生が行われずに，順再生が行われる。静止画は，撮影日時の逆順に表示されるにも関わらず，動画は撮影日時にしたがって順再生が行われるので，時間の流れが不自然となり，ユーザは違和感がある。
【０００４】
スライド・ショーにおいて再生順序の変更，指定方法などが工夫されているが（特許文献１，２参照），動画のように撮影時間の幅をもつものについては考慮されていない。
【０００５】
【特許文献１】
特開平１１−３３１７３９号公報
【特許文献２】
特開２００２−２０９１９０号公報
【０００６】
【発明の開示】
この発明は，静止画ファイルと動画ファイルとが混在している場合において，撮影時刻を逆順に再生した場合であっても違和感を生じないようにすることを目的とする。
【０００７】
第１の発明による画像再生装置は，記録媒体から，撮影日時データが含まれている１または複数の静止画ファイルおよび撮影日時データが含まれている複数の動画ファイルを読み取る読取手段，上記読取手段によって記録媒体から読み取られた１または複数の静止画ファイルによって表される静止画像および１または複数の動画ファイルによって表される動画を，撮影日時データによって表される撮影日時の遅い順にソーティングするソーティング手段，ならびに上記ソーティング手段によってソーティングされた順序にもとづいて，上記静止画像および上記動画について撮影日時の遅い順にスライド・ショーを行ない，かつ上記動画を逆再生（動画を構成する各駒の画像を撮影日時の遅い順に表示する）するスライドショーを行なうように表示装置を制御する表示制御手段を備えていることを特徴とする。
【０００８】
第１の発明は，上記画像再生装置に適した方法も提供している。すなわち，この方法は，記録媒体から，撮影日時データが含まれている１または複数の静止画ファイルおよび撮影日時データが含まれている複数の動画ファイルを読み取り，記録媒体から読み取られた１または複数の静止画ファイルによって表される静止画像および１または複数の動画ファイルによって表される動画を，撮影日時データによって表される撮影日時の遅い順にソーティングし，ソーティングされた順序にもとづいて，上記静止画像および上記動画について撮影日時の遅い順にスライド・ショーを行ない，かつ上記動画を逆再生するスライド・ショーを行なうように表示装置を制御するものである。
【０００９】
第１の発明は，上記画像再生装置のコンピュータを制御するプログラムおよびそのプログラムを格納した記録媒体も提供している。
【００１０】
第１の発明によると，記録媒体に記録されており，かつ撮影日時データが含まれている静止画ファイルおよび動画ファイルが読み取られる。読み取られた静止画ファイルによって表される静止画と動画ファイルによって表される動画とが撮影日時の遅い順にソーティングされる。ソーティングされた順序にもとづいて，静止画像および動画が撮影日時の遅い順にスライド・ショーされ，かつ動画については逆再生が行われる。
【００１１】
静止画が撮影日時の遅い順に表示されるだけでなく，動画を構成する各駒も撮影時刻の遅い順に表示，すなわち逆再生が行われることとなる。撮影日時の遅い順に表示した場合であっても違和感が生じない。
【００１２】
上記動画ファイルが差分圧縮方式にもとづいて圧縮されているときに，動画を構成する各駒の画像を生成する生成手段をさらに備えるようにしてもよい。この場合，上記表示制御手段は，上記ソーティング手段によってソーティングされた順序にもとづいて，上記生成手段によって生成された各駒の画像から構成される上記動画を逆再生するスライド・ショーを行なうように表示装置を制御するものとなろう。
【００１３】
差分圧縮方式にもとづいて圧縮されている動画ファイルにおいては，一駒一駒が完全な画像となっていない。このために，一駒一駒が完全な画像となるように動画を構成する各駒の画像が生成される。生成された各駒の画像が撮影日時の遅い順に表示される。差分圧縮方式にもとづいて圧縮されている動画ファイルが記録媒体に記録されている場合であっても，動画が逆再生されることとなり，撮影日時の遅い順に表示した場合であっても違和感が生じることがない。
【００１４】
第２の発明による画像再生装置は，記録媒体から，撮影日時データが含まれている１または複数の静止画ファイルおよび撮影日時データが含まれている複数の動画ファイルを読み取る読取手段，上記読取手段によって記録媒体から読み取られた１または複数の静止画ファイルによって表される静止画像および１または複数の動画ファイルによって表される動画を，撮影日時データによって表される撮影日時の遅い順にソーティングするソーティング手段，ならびに上記ソーティング手段によってソーティングされた順序にもとづいて，上記静止画像および上記動画を構成する各駒の画像のうち最後の駒の画像を一覧表示するように表示装置を制御する表示制御手段を備えていることを特徴とする。
【００１５】
第２の発明は，上記画像再生装置に適した方法も提供している。すなわち，この方法は，記録媒体から，撮影日時データが含まれている１または複数の静止画ファイルおよび撮影日時データが含まれている複数の動画ファイルを読み取り，記録媒体から読み取られた１または複数の静止画ファイルによって表される静止画像および１または複数の動画ファイルによって表される動画を，撮影日時データによって表される撮影日時の遅い順にソーティングし，ソーティングされた順序にもとづいて，上記静止画像および上記動画を構成する各駒の画像のうち最後の駒の画像を一覧表示するものである。
【００１６】
第２の発明は，上記画像再生装置のコンピュータを制御するプログラムおよびそのプログラムを格納した記録媒体も提供している。
【００１７】
第２の発明においても，記録媒体に記録されており，かつ撮影日時データが含まれている静止画ファイルおよび動画ファイルが読み取られる。読み取られた静止画ファイルによって表される静止画と動画ファイルによって表される動画とが撮影日時の遅い順にソーティングされる。ソーティングされた順序にもとづいて，静止画像および動画を構成する各駒の画像のうち最後の駒が一覧表示される。
【００１８】
第２の発明によると，撮影日時の遅い順に，静止画像および動画を構成する各駒の画像のうちの最後の駒の画像が一覧表示される。一覧表示されている画像を見ることにより，撮影日時の遅い順に表示されていることが一見して分かる。
【００１９】
上記表示制御手段は，たとえば，上記動画ファイルが差分圧縮方式にもとづいて圧縮されているときには，最後の完全画像と上記静止画像とを表示するように上記表示装置を制御するものである。
【００２０】
動画ファイルが差分圧縮方式にもとづいて圧縮されている場合には，動画ファイルには一定周期で完全な一駒の画像を表すデータが含まれているが，それらの完全な一駒の画像の間の画像を表すデータには，前駒との動きの差分を表すデータが含まれている。このために，動画ファイルが差分圧縮方式にもとづいて圧縮されている場合には，動画ファイルに含まれている完全な一駒の画像のうち，最後の完全な一駒の画像を表すデータによって表される最後の駒の画像を表示することができる。
【００２１】
もっとも，最後の完全な一駒の画像ではなく，動画を構成する駒の画像のうち差分データを用いて生成される最後の駒の画像を表示するようにしてもよい。
【００２２】
上記静止画像および上記最後の駒の画像のそれぞれのサムネイル画像を生成するサムネイル画像生成手段をさらに備えるようにしてもよい。この場合，上記表示制御手段は，上記サムネイル画像生成手段によって生成されたサムネイル画像を表示するように上記表示装置を制御するものとなろう。
【００２３】
【実施例の説明】
図１は，この発明の実施例を示すもので，画像再生装置の電気的構成を示すブロック図である。
【００２４】
画像再生装置には，コンピュータ３が含まれている。コンピュータ３には，表示装置１，プリンタ２および入力装置５（マウス，キーボードなど）が接続されている。コンピュータ３の内部には，データ等を記憶するメモリ４が含まれている。
【００２５】
コンピュータ３には，メモリ・カード・リーダ／ライタ６，ＣＤ−ＲＯＭ（コンパクト・ディスク−リード・オンリ・メモリ）ドライブ８およびＨＤ（ハードディスク）ドライブ１０が接続されている。メモリ・カード・リーダ／ライタ６は，メモリ・カード７に記録されているデータを読み取り，かつメモリ・カード７にデータを書き込むものである。ＣＤ−ＲＯＭドライブ８は，ＣＤ−ＲＯＭ９からのデータの読み出しを行う。ＣＤ−ＲＯＭ９には，画像再生装置の動作プログラムが格納されている。動作プログラムがＣＤ−ＲＯＭドライブ８によって読み取られることにより，動作プログラムがコンピュータ３にインストールされる。ＨＤドライブ１０は，ハードディスク（図示略）へのデータの書き込みおよびデータの読み出しを行う。
【００２６】
メモリ・カード７には，ディジタル・カメラによって撮影された複数駒（１駒でもよい）の静止画像を表す静止画ファイルおよび複数（１つでもよい）の動画を表す動画ファイルが記録されている。メモリ・カード７から静止画ファイルおよび動画ファイルが読み出されることにより，表示装置１の表示画面上に静止画および動画が表示される。
【００２７】
この実施例による画像再生装置においては，スライド・ショーが可能である。スライド・ショーは，撮影時刻（日時）順に画像が表示されるもののほか，撮影時刻の逆の順序で画像が表示されるものがある（逆順スライド・ショー）。とくに，この実施例による逆順スライド・ショーは，静止画だけでなく，動画も逆再生される。逆順スライド・ショーにおいては動画も撮影時刻の遅い順に表示されるので，閲覧しているユーザは違和感を生じることがない。
【００２８】
また，この実施例による画像再生装置においては，メモリ・カード７に記録されているファイルによって表される画像のサムネイル画像が撮影時刻順（正順）に一覧表示されるほか，撮影時刻の逆順に一覧表示される。メモリ・カード７に動画ファイルが記録されている場合，撮影時刻順にサムネイル画像が一覧表示されるときには，動画ファイルによって表される動画を構成する最初の駒の画像のサムネイル画像が表示される。撮影時刻の逆順にサムネイル画像が一覧表示されるときには，動画ファイルによって表される動画を構成する最後の駒の画像（動画ファイルが差分圧縮方式によって圧縮されている場合には，後述するように，最後の完全画像の駒の画像でもよいし，差分データにもとづいて生成される最後の駒の画像でもよい）が表示される。より詳しくは，以下の説明によって明らかとなろう。
【００２９】
図２は，逆順スライド・ショーの処理手順を示すフローチャートである。
【００３０】
メモリ・カード７に記録されているファイルのうち逆順スライド・ショーされる画像を表すファイルがユーザよって選択される。たとえば，表示装置２の表示画面上にメモリ・カード７に記録されている多数のファイル・アイコンが表示され，それらの多数のファイル・アイコンの中から選択することとなろう。つづいて，ファイル名とそのファイル名によって表される画像の撮影日時とからなる正順ファイル・リストが生成される（ステップ２１）。正順ファイル・リストは，最初は空のテーブルとなろう。
【００３１】
つづいて，ユーザによって選択されたファイルのうち最初のファイルがメモリ・カード７から読み取られる（ステップ２２）。読み取られたファイルが静止画ファイルであれば，静止画ファイルのヘッダ記録領域に記録されているファイル名および撮影日時をそれぞれ表わすデータが読み取られ，ファイル名および撮影日時がファイル・リスト・テーブルに追加される（ステップ２３）。読み取られたファイルが動画ファイルであれば，動画ファイルのヘッダ記録領域に記録されているファイル名ならびに撮影日時および記録時間をそれぞれ表わすデータが読み出される。撮影日時に記録時間が加算されたものが動画の撮影日時としてファイル名とともに正順ファイル・リストに記録される。選択されたファイルについて，正順ファイル・リストへのファイル名および撮影日時の記録がすべて終了するまで，対象ファイルの読み取りおよびファイル名および撮影日時の正順ファイル・リストへの追加が繰り返される（ステップ２４）。
【００３２】
このようにして完成したファイル・リストが図３に示されている。正順ファイル・リストは，上述したように，ファイル名とファイル名に対応する撮影日時から構成されている。図３に示すファイル・リスト・テーブルにおいては，撮影日時の古い順に正順ファイル・リストにファイル名が格納されている。また，図３において，ファイル名に含まれる拡張子のうち，「ＪＰＧ」または「ｊｐｇ」が静止画像ファイルのファイル名であることを表し，「ＡＶＩ」が動画ファイルのファイル名であることを表している。
【００３３】
図２にもどって，正順ファイル・リストが完成すると（ステップ２４でＹＥＳ），正順ファイル・リストに格納されている撮影日時が日時の新しい順にソーティングされ，撮影日時に対応するファイル名も撮影日時の新しい順にソーティングされる。このソーティング処理にもとづいて図４に示す逆順ファイル・リストが生成される（ステップ２５）。
【００３４】
逆順ファイル・リストに格納されているファイル名の順序で対応するファイルがメモリ・カード７から順に読み取られる（ステップ２６）。メモリ・カード７から読み取られた画像ファイルによって表される画像が表示装置の表示画面上に表示される（ステップ２７）。読み取られた画像ファイルが静止画ファイルであれば，一定時間の間（たとえば，４秒）またはユーザから駒送りの支持が与えられるまでの間表示される。読み取られた画像ファイルが動画ファイルであれば，その動画ファイルによって表される動画が表示される。
【００３５】
ファイルによって表される静止画または動画の再生が終了すると，ファイル・リスト・テーブルに格納されている次のファイル名に対応するファイルがメモリ・カード７から読み取られる（ステップ２６）。読み取られたファイルによって表される静止画または動画が表示される（ステップ２７）。逆順ファイル・リストに格納されているファイル名に対応するすべてのファイルが逆順ファイル・リストの順序にしたがってメモリ・カード７から読み出され，再生が終了すると（ステップ２８でＹＥＳ），逆順スライド・ショーの処理が終了する。
【００３６】
図５は，通常の撮影時刻順（正順）でのスライド・ショーの様子を示している。
【００３７】
正順でのスライド・ショーは，図３に示す正順ファイル・リストにもとづいて行われる。
【００３８】
まず最初に，正順ファイル・リストのファイル名の欄の最初のファイル名（ＤＳＣＦ０００１．ＪＰＧ）をもつ静止画ファイルがメモリ・カード７から読み出される。読み出された静止画ファイルによって表される静止画Ｓ１が表示装置２の表示画面上に４秒間の間表示される。つづいて，正順ファイル・リストのファイル名の欄の最初のファイル名の次のファイル名（ＤＳＣＦ０００２．ＪＰＧ）をもつ静止画ファイルがメモリ・カード７から読み出される。読み出された静止画ファイルによって表される静止画Ｓ２が表示装置２の表示画面上に４秒間の間表示される。
【００３９】
同様に，正順ファイル・リストのファイル名の欄の次のファイル名（ＤＳＣＦ０００３．ＡＶＩ）をもつ動画ファイルがメモリ・カード７から読み出され，その動画ファイルによって表される動画が表示装置の表示画面上に表示される。この動画は，記録した撮影時刻の順序にしたがって順方向に再生される。したがって，動画を構成する各駒の画像（Ｍ０１，Ｍ１１，Ｍ２１，ＭＬ）は，撮影時刻順で表示されることとなる。
【００４０】
以下，同様にして，正順ファイル・リストに格納されているすべてのファイル名に対応するファイルがメモリ・カード７から読み出され，表示装置の表示画面上に表示されていく。
【００４１】
図６は，逆順スライド・ショーの様子を示している。
【００４２】
逆順スライド・ショーは，図４に示す逆順ファイル・リスト・テーブルにもとづいて行われる。
【００４３】
逆順ファイル・リストのファイル名の欄に格納されているファイル名の順序は，正順ファイル・リストのファイル名の欄に格納されているファイル名の順序と逆であるから，逆順スライド・ショーにおいて表示される静止画または動画の順序は，通常の撮影時刻順でのスライド・ショーにおいて表示される静止画または動画の順序と逆となる。
【００４４】
逆順ファイル・リストのファイル名の欄の最初には，正順ファイル・リストのファイル名の欄の最後に格納されているファイル名が格納されている。逆順スライド・ショーにおいては，最後に撮影された静止画ＳＬが最初に表示される。次に撮影時刻の新しいファイルがメモリ・カード７から読み取られ，そのファイルによって表される画像が表示装置２の表示画面上に表示される。
【００４５】
メモリ・カード７からファイル名ＤＳＣＦ０００３．ＡＶＩをもつ動画ファイルが読み取られると，その動画ファイルによって表される動画を構成する各駒の画像が撮影時刻の順序と逆の順序で順に表示される。正順スライド・ショーにおいては，動画を構成する各駒の画像Ｍ０１，Ｍ１１，Ｍ２１，ＭＬの順序で動画が表示されているが，逆順スライド・ショーにおいては，動画を構成する各駒の画像は，正順スライド・ショーの場合とは時間的に逆に，ＭＬ，Ｍ２１，Ｍ１１，Ｍ０１も順序で表示されるようになる。
【００４６】
その後，静止画Ｓ２およびＳ１の順序で表示される。
【００４７】
逆順スライド・ショーにおいては，動画も撮影時刻の順序と逆の再生が行われて表示されるので，閲覧しているユーザの違和感がなくなる。
【００４８】
動画ファイルがＭｏｔｉｏｎ  ＪＰＥＧ（ｊｏｉｎｔ  ｐｈｏｔｏｇｒａｐｈｉｃ  ｅｘｐｅｒｔｓ  ｇｒｏｕｐ）の場合には，動画を構成する一駒一駒の画像が完全な一駒の画像として圧縮されているので，一駒ごとに伸張することにより，動画の逆再生が可能となる。
【００４９】
これに対して，動画ファイルがＭＰＥＧ（ｍｏｖｉｎｇ  ｐｉｃｔｕｒｅ  ｅｘｐｅｒｔｓ  ｇｒｏｕｐ）２などのように差分圧縮されている場合には，動画を構成する一駒一駒の画像は完全な画像として圧縮されていず，一定間隔で完全な画像を表す画像データが圧縮されているが，その他の画像については完全な画像との動きの差分を表すデータが圧縮されている。このために，逆再生を行うためには，差分データから完全な一駒の画像を生成する必要がある。
【００５０】
図７は，差分データから動画を構成する各駒の画像を生成する様子を示している。
【００５１】
差分圧縮方式にもとづいて圧縮されている動画ファイルは，複数のＧＯＰ（ｇｒｏｕｐ  ｏｆ  ｐｉｃｔｕｒｅ）に分けることができる。それぞれのＧＯＰの最初には，基準となるＩフレーム（Ｉｎｔｒａ  Ｐｉｃｔｕｒｅ）が含まれている。このＩフレームの画像は，一駒の完全な画像を表している。Ｉフレームに格納されている画像データが伸張されることによって画像Ｉ１が生成される。
【００５２】
ＧＯＰの残りのフレームはいわゆる差分フレームであり，前のフレームとの差分を表すデータが格納されている。図７においては，差分フレーム１〜Ｎが図示されている。差分フレーム１は，前のフレームであるＩフレームとの差分を示すデータが格納されているものであり，差分フレーム１とＩフレームとを用いて画像Ｉ２が生成される。以下同様にして，前のフレームに格納されている画像データを用いて一駒の画像が生成されていく。
【００５３】
このように，メモリ・カード７から読み取られた動画ファイルが差分圧縮方式にもとづいて圧縮されている場合には，動画を構成する各駒の完全な画像が生成されてから上述した逆順スライド・ショーが行われることとなる。
【００５４】
図８および図９は，他の実施例を示すもので，サムネイル画像一覧表示の一例である。
【００５５】
図８は，逆順サムネイル画像一覧表示の処理手順を示すフローチャートである。この図において，図２に示す処理と同じ処理については同じ符号を付して説明を省略する。
【００５６】
上述したのと同様に，正順ファイル・リスト（図３参照）が生成され，正順ファイル・リストから逆順ファイル・リスト（図４参照）が生成される。
【００５７】
図９は，正順ファイル・リストにもとづいて得られる正順サムネイル画像一覧表示の一例である。
【００５８】
正順サムネイル画像一覧表示においては，静止画ファイルによって表される静止画Ｓ１，Ｓ２，ＳＬなどのほかに動画ファイルによって表される動画を構成する駒の画像のサムネイル画像Ｍ０１も撮影時刻の古い順に上から下に順に並べられる。正順サムネイル画像一覧表示においては，動画のサムネイル画像は，動画を構成する最初の駒のものとなる。
【００５９】
正順サムネイル画像一覧表示においては，サムネイル画像の他にファイル名および撮影時刻もサムネイル画像に対応して表示されている。動画についての撮影時刻は，撮影開始時刻が表示されている。
【００６０】
図８にもどって，逆順ファイル・リストに記録されているファイル名の欄に記録されているファイル名のファイルが順にメモリ・カード７から読み取られる（ステップ２６）。読み取られたファイルによって表される画像のサムネイル画像が生成される（ステップ３１）。読み取られたファイルが静止画ファイルであれば，その静止画ファイルによって表される静止画のサムネイル画像が生成される。読み取られたファイルが動画ファイルであれば，その動画ファイルによって表される動画を構成する各駒の画像のうち，最後の駒の画像のサムネイル画像が生成される。もっとも，上述したように，動画ファイルが差分圧縮方式にもとづいて圧縮されている場合には，差分フレームを用いて生成される動画の最後の駒の画像を用いて生成されるサムネイル画像を表示するのではなく，動画ファイルの最後のＧＯＰのＩフレームによって表される画像（完全画像）のサムネイル画像を生成するようにしてもよい。
【００６１】
生成されたサムネイル画像が表示装置２の表示画面上に表示される（ステップ３２）。逆順ファイル・リストに格納されているファイル名のすべてのファイルが読み取られ，サムネイル画像が表示されるまでステップ３１および３２の処理が繰り返される（ステップ３３）。
【００６２】
図１０は，逆順サムネイル画像一覧表示の一例である。
【００６３】
図９に示す正順サムネイル画像一覧表示においては，動画のサムネイル画像は，動画を構成する各駒の画像のうち，最初の駒の画像を用いて生成されている。これに対して，逆順サムネイル画像一覧表示においては，動画のサムネイル画像は，動画を構成する各駒のうち，最後の駒の画像を用いて生成されている。逆順に表示される場合であっても，動画の最後の駒が表示されるので，逆順サムネイル画像一覧を閲覧するユーザは違和感が生じない。
【００６４】
上述したように，動画ファイルが差分圧縮されている場合には，最後の駒は動画ファイルを構成する最後のＧＯＰのＩフレームにもとづいて得られる駒の画像でもよい。
【図面の簡単な説明】
【図１】画像再生装置の電気的構成を示すブロック図である。
【図２】逆順スライド・ショーの処理手順を示すフローチャートである。
【図３】正順ファイル・リストの一例である。
【図４】逆順ファイル・リストの一例である。
【図５】正順スライド・ショーの様子を示している。
【図６】逆順スライド・ショーの様子を示している。
【図７】ＭＰＥＧ２圧縮されている動画ファイルの構造を示している。
【図８】逆順サムネイル画像一覧表示の処理手順を示すフローチャートである。
【図９】正順サムネイル画像一覧表示の一例である。
【図１０】逆順サムネイル画像一覧表示の一例である。
【符号の説明】
１  表示装置
３  コンピュータ
６  メモリ・カード・リーダ／ライタ
７  メモリ・カード
８  ＣＤ−ＲＯＭドライブ
９  ＣＤ−ＲＯＭ
Ｓ１，Ｓ２，ＳＬ  静止画（静止画のサムネイル画像）
Ｍ０１，Ｍ１１，Ｍ２１，ＭＬ  動画を構成する画像（サムネイル画像）
【図１】
2005012399.tif 000003
【図２】
2005012399.tif 000004
【図３】
2005012399.tif 000005
【図４】
2005012399.tif 000006
【図５】
2005012399.tif 000007
【図６】
2005012399.tif 000008
【図７】
2005012399.tif 000009
【図８】
2005012399.tif 000010
【図９】
2005012399.tif 000011
【図１０】
2005012399.tif 000012